(57)【要約】      （修正有）【課題】複数列の端子台と複数列の台座を備え、容易に装着、取り外しができる端子台と台座の組合せ構造を提供する。【解決手段】複数列の端子台と複数列の台座を備え、各列の端子台１は、二つの筐体による凹凸構造を組み合わせてなり、各列の端子台には、プラグを差し込む差込口１０が１個以上設置され、その中に１組の導電性出力ピン１４が埋設され、各列の端子台の底部が台座２に結合され、台座内には、少なくとも、１個以上の導電性プラグが埋設され、導電性出力ピンと導電性プラグとは電気的に接続し、台座の両側の表面には、それぞれ、お互いを嵌め合わせるための突条部と凹溝があり、素早く端子台と台座との装着・取り外し作業が行われる。【選択図】図１
0003217521.tif 000002
【実用新案登録請求の範囲】
【請求項１】
複数列の端子台と複数列の台座を備えてなり、各列の端子台は、二つの筐体による凹凸構造を素早く組み合わせてなり、お互いを組み合わせてなる各列の端子台には、プラグが差し込む差込口が１個以上設置、その中に１組の導電性出力ピンが埋設され、各列の端子台の底部が台座に結合され、該台座内には少なくとも、１個以上の導電性プラグが埋設され、該導電性出力ピンと該導電性プラグとは電気的に接続し、該底筐体両側の表面にはそれぞれ、お互いを嵌め合わせるための突条部と凹溝があり、それによって、素早く組み合わせて複数列の台座に設けられ、端子台と台座との装着・取り外し作業がうまく行われるように設けられることを特徴とする端子台と台座の組合せ構造。
【請求項２】
該筐体は、側端部、側蓋部と拡張部を備えてなり、該側端部、該側蓋部と該拡張部の上端には、該差込口に対応する開放孔があり、該側端部と該側蓋部の外側面は閉鎖部に設けられ、該側端部と該拡張部の内側面にはそれぞれ、凹溝が設けられ、該差込口の上方には、差込口への差込み、差込口からの取外しが簡単に行なわれるための押しブロックが設けられることを特徴とする請求項１に記載の端子台と台座の組合せ構造。
【請求項３】
該凹凸構造は、相互に対応する突起と凹所を備えてなり、該側端部と該側蓋部を組み合わせるところの内側面にはそれぞれ、複数の凹穴及びそれに対応する複数の突起があり、それらを嵌め合わせて、単一列の端子台に設けられることを特徴とする請求項２に記載の端子台と台座の組合せ構造。
【請求項４】
該側端部と該側蓋部の間には、１個以上の該拡張部を組み合わせるように設けられ、該拡張部の一側面には複数の突起、他方の側面には複数の凹孔が設けられ、それによって、複数列の端子台に設けられることを特徴とする請求項３に記載の端子台と台座の組合せ構造。
【請求項５】
該側蓋部外側の表面には、図形や文字を表示するための表示エリアが設けられることを特徴とする請求項２に記載の端子台と台座の組合せ構造。
【請求項６】
該導電性出力ピンは、弾力性を有し、対向する２枚のフック形導電シートが接続、電気が伝わるように設けられ、該導電性出力ピンは該凹溝内に埋設され、その一端が該差込口の底部にあり、他方端が端子台の底部に露出されるように設けられることを特徴とする請求項２に記載の端子台と台座の組合せ構造。
【請求項７】
該台座は、底筐体と蓋板を嵌め合わせてなり、該底筐体内には少なくとも、一個以上の収容キャビティがあり、該収容キャビティ内に導電性プラグが埋設され、導電性プラグの一端は、弾力性を有するペアとなる二つのカーブ状クリップ、他方端は出力ピンに設けられ、該底筐体の筐体面には入力ホール、該蓋板には出力ホールがあり、該導電性プラグの出力ピンが該出力ホールの外に突き出されるように設けられることを特徴とする請求項１に記載の端子台と台座の組合せ構造。
【請求項８】
該導電性出力ピンの下端にフック部があり、該導電性出力ピンは該入力ホールを通って該台座内へ差し込まれて、該フック部が二つの該カーブ状クリップの間に挟みまれ、固定され、該導電性出力ピンと該導電性プラグが電気的に接続するように設けられることを特徴とする請求項７に記載の端子台と台座の組合せ構造。
【考案の詳細な説明】
【技術分野】
【０００１】
本考案は端子台と台座の構造に関わり、特に、自由に個別に取外し、組合せ可能で、容易に装着、取り外しができるという特性を有するものに関する。
【背景技術】
【０００２】
従来の端子台は、モジュール配線の統合ユニットであり、間隔を開けて配置される出入力端子を用いて、電子回路と接続機器をつなぐための複数列の固定配列タイプがよく見られるが、このような固定配列タイプの端子台は、複数の出入力端子を備えてなるという決まった形をし、端子配列数は調整できず、柔軟に組み合わせるニーズを満たせないという応用範囲に制限があること、端子台はプリント基板に接続するためのユニットであり、端子台をプリント基板に溶接して、電気が伝わるように設けられるが、プリント基板に溶接、固定された端子は、溶接による固定タイプとなり、取り外しが困難なため、端子台の電気的接続に関する検査、または端子台の交換など、端子台の交換・変更を行う場合、ハンダを取り外してから行われるということで、とても面倒な作業になる。
【考案の概要】
【考案が解決しようとする課題】
【０００３】
本考案は、従来の固定式端子台に対して、任意に取外可能かつ単一列または複数列の構造形態に組み合わせられ、実際の作業範囲のニーズを満たせるように設けられ、組み合わせてなる台座によって、端子台と台座との装着・取り外しが簡単に行われるという端子台と台座の組合せ構造を提供することを目的とする。
【課題を解決するための手段】
【０００４】
上述した目的を達成させるため、本考案は、複数列の端子台と複数列の台座を備えてなり、各列の端子台は、二つの筐体による凹凸構造を素早く組み合わせてなり、お互いを組み合わせてなる各列の端子台には、プラグが差し込む差込口が１個以上設置、その中に１組の導電性出力ピンが埋設され、各列の端子台の底部が台座に結合され、該台座内には少なくとも、１個以上の導電性プラグが埋設され、該導電性出力ピンと該導電性プラグとは電気的に接続し、該底筐体両側の表面にはそれぞれ、お互いを嵌め合わせるための突条部と凹溝があり、それによって、素早く組み合わせて複数列の台座に設けられ、端子台と台座との装着・取り外し作業がうまく行われるように設けられることを特徴とする。
【０００５】
二つの該筐体は、側端部、側蓋部と拡張部を備えてなり、該側端部、該側蓋部と該拡張部の上端には、該差込口に対応する開放孔があり、該側端部と該側蓋部の外側面は閉鎖部に設けられ、該側端部と該拡張部の内側面にはそれぞれ、凹溝が設けられることを特徴とする。
【０００６】
該凹凸構造は、相互に対応する突起と凹所を備えてなり、該側端部と該側蓋部を組み合わせるところの内側面にはそれぞれ、複数の凹穴及びそれに対応する複数の突起があり、それらを嵌め合わせて、単一列の端子台に設けられ、該単一列の端子台を該側端部の底部に、該台座と組み合わせて、１組の端子台と台座に設けられることを特徴とする。
【０００７】
該台座は、底筐体と蓋板を嵌め合わせてなり、該底筐体内には少なくとも、一個以上の収容キャビティがあり、該収容キャビティ内に導電性プラグが埋設され、導電性プラグの一端は、弾力性を有するペアとなる二つのカーブ状クリップ、他方端は出力ピンに設けられ、該底筐体の筐体面には入力ホール、該蓋板には出力ホールがあり、該導電性プラグの出力ピンが該出力ホールの外に突き出されるように設けられることを特徴とする。
【０００８】
該側端部と該側蓋部の間には、１個以上の該拡張部を組み合わせるように設けられ、該拡張部の一側面には複数の突起、他方の側面には複数の凹孔が設けられ、それによって、複数列の端子台に設けられ、各列の端子台の底部にはそれぞれ、縦向きに該台座を組み合わせてなり、該台座の該底筐体両側には、お互いに嵌め合わせるための該突条部と該凹溝は、相互に隣接して、組み合わせるように設けられ、それで組み合わせてなる複数列の台座、複数列の端子台及び複数列の台座による上下の組み合わせで、複数組の端子台と台座に設けられることを特徴とする。
【０００９】
該側蓋部外側面の表面には、図形や文字を表示するための表示エリアが設けられることを特徴とする。
【００１０】
該差込口の上方には、差込口への差込み、差込口からの取外しが簡単に行なわれるための押しブロックが設けられ、該導電性出力ピンは、弾力性を有し、対向する２枚のフック形導電シートが接続、電気が伝わるように設けられ、該導電性出力ピンは該凹溝内に埋設され、その一端が該差込口の底部にあり、他方端が端子台の底部に露出されるように設けられることを特徴とする。
【００１１】
該底筐体と該蓋板の周りにはそれぞれ、お互いを嵌め合わせるスロットとラッチ部があり、該ラッチ部は該底筐体の該スロットに嵌め込まれるように設けられることを特徴とする。
【００１２】
該導電性出力ピンの下端にフック部があり、該導電性出力ピンは該入力ホールを通って該台座内へ差し込まれて、該フック部が二つの該カーブ状クリップの間に挟みまれ、固定され、該導電性出力ピンと該導電性プラグが電気的に接続するように設けられることを特徴とする。
【００１３】
本考案の端子台と台座がプリント基板との組み合わせに応用されるが、該台座は、プリント基板と電気的に接続し、固定されるように設けられ、それに、複数列の端子台は、素早く組み合わせが可能、かつ差込み・取り外しが簡単に行なわれるように設けられることから、装着や差込み・取り外し作業が便利かつ簡単に行なわれるようになり、該台座の底部からはみ出された出力ピンがプリント基板に溶接、固定され、端子台がプリント基板に電気が伝わるように設けられ、該プリント基板には、各列の端子台と電気的に接続するように、１組以上のＬＥＤ灯が設けられ、プラグを端子台の差込口に差し込んで、電気が伝わると、該列の端子台に対応する該ＬＥＤ灯が点灯し、該列の端子台が通電状態になっていることを示す。
【図面の簡単な説明】
【００１４】
【図１】本考案の複数列の端子台と台座の前面図である。
【図２】本考案の側端部、側蓋部と拡張部の形態図である。
【図３Ａ】本考案の側端部と拡張部の内側面図である。
【図３Ｂ】本考案の側端部と拡張部の内側面図である。
【図４】本考案の台座の分解図である。
【図５】本考案の台座と拡張部を組み合わせた図である。
【図６】本考案の複数列の端子台をと台座を組み合わせてなる複数組の端子台図である。
【図７】本考案の側蓋部外側の表面にある表示エリア図である。
【図８】本考案の１組の端子台図である。
【図９】本考案の端子台と台座をプリント基板に組み合わせた図である。
【考案を実施するための形態】
【００１５】
図１〜５に示すように、本考案は、複数列の端子台１和複数列の台座２を備えてなり、各列の端子台は、二つの筐体による凹凸構造を組み合わせてなり、該筐体は、側端部１１、側蓋部１２と拡張部１３を備えてなり、該凹凸構造は、相互に対応する突起と凹所を備えてなり、該側端部１１と該側蓋部１２を組み合わせるところの内側面にはそれぞれ、複数の凹穴１１０及びそれに対応する複数の突起１２０があり、該拡張部１３の一側面には複数の突起１３０、他方の側面には複数の凹穴１３１が設けられ、お互いを組み合わせる各列の端子台には、プラグ（図示せず）が差し込む差込口１０が１個以上設置、その中に１組の導電性出力ピン１４が埋設され、該導電性出力ピン１４の下端には、フック部１４０が設けられ、該側端部１１、該側蓋部１２と該拡張部１３の上端にはそれぞれ、該差込口１０に対応する開放孔があり、該側端部１１と該側蓋部１２の外側面は閉鎖部に設けられ、図３（Ａ）（Ｂ）点線で示される形状のように、該側端部１１と該拡張部１３の内側面にはそれぞれ、凹溝１１１、凹溝１３２が設けられており、該導電性出力ピン１４は、弾力性を有し、対向する２枚のフック形導電シートが接続、電気が伝わるように設けられ、該導電性出力ピン１４はそれぞれ、該凹溝１１１、該凹溝１３２内に埋設、その一端（上端）が該差込口１０の底部にあり、他方端（下端）が端子台の底部に露出されるように設けられ、該差込口１０の上方には、差込口１０への差込み、差込口１０からの取外しが簡単に行なわれるための押しブロック１５が設けられ、該押しブロック１５を押すと、該導電性出力ピン１４が動かされることになり、それで、該導電性出力ピン１４の上端が変形して、差込口１０のプラグ（図示せず）の差込み、取り外しが簡単に行なわれるようになる。
【００１６】
図４、図５に示すように、上述した各列の端子台１の底部が該台座２に結合され、該台座２は、底筐体２０と蓋板２１を嵌め合わせてなり、該底筐体２０内には少なくとも、一個以上の収容キャビティ２００があり、該底筐体２０と該蓋板２１の周りにはそれぞれ、お互いを嵌め合わせるスロット２０１とラッチ部２１０があり、該ラッチ部２１０を、該底筐体２０の該スロット２０１に嵌め込んで、該蓋板２１が該底筐体２０の開口に嵌め込まれて閉じられるたように設けられ、該収容キャビティ２００内に導電性プラグ２２が埋設され、導電性プラグ２２の一端は、弾力性を有するペアとなる二つのカーブ状クリップ２２０、他方端は出力ピン２２１に設けられ、該底筐体２０の筐体面には入力ホール２０２、該蓋板２１には出力ホール２１１があり、該導電性プラグ２２の出力ピン２２１が該出力ホール２１１の外に突き出され、該底筐体２０両側の表面にはそれぞれ、お互いを嵌め合わせるための突条部２０３と凹溝２０４があり、それらを組み合わせて、複数列の台座２に設けられる。
【００１７】
図５に示すように、拡張部１３と該台座２を組み合わせたときのイメージを例として、上述した端子台１と台座２との組み合わせでは、該導電性出力ピン１４は該入力ホール２０２を通って該台座２内へ差し込まれて、該フック部１４０が二つの該カーブ状クリップ２２０の間に挟みまれ、固定され、該導電性出力ピン１４が該導電性プラグ２２と電気的に接続するようになり、図６に示すように、本考案の該台座２は必要な個数に応じて横向きに複数列の台座２に設けられ、端子台との縦向き組立てには、容易に差込み・取外しができるというメリットがあり、それによって、端子台の複数列または個別の組立てや取り外しは、素早く簡単に行なわれるという特性がある。  
【００１８】
図６に示すように、本考案の該側端部１１と該側蓋部１２の間には、１個以上の該拡張部１３を組み合わせるように設けられ、該側端部１１、１個以上の該拡張部１３及び該側蓋部１２で、横向きに複数列の端子台に設けられ、各列の端子台の底部にはそれぞれ、縦向きに該台座２を組み合わせてなり、該台座２の該底筐体２０両側には、お互いに嵌め合わせるための該突条部２０３と該凹溝２０４は、相互に隣接して、組み合わせるように設けられ、それで組み合わせてなる複数列の台座２、複数列の端子台及び複数列の台座による上下の組み合わせで、複数組の端子台と台座に設けられる。
【００１９】
図７に示すのは、該側蓋部１２を組み合わせてなる端子台であり、該側蓋部１２外側の表面には、図形や文字を表示するための表示エリア１２１が設けられる。
【００２０】
図８に示すように、本考案は、該側端部１１と該側蓋部１２を組み合わせてなる単一列の端子台であり、該導電性出力ピン１４は、該凹溝１１１内に埋設され、その一端が該差込口１０の底部にあり、他方端が端子台の底部に露出され、在該側端部１１と該側蓋部１２を組み合わせるところの内側面にそれぞれ、複数の凹穴１１０及びそれに対応する複数の突起１２０があり、それらを嵌め合わせて、単一列の端子台に設けられるが、該単一列の端子台を該側端部１１的底部に、該台座２と組み合わせて、１組の端子台１と台座２に設けられる。
【００２１】
図９に示すように、本考案の端子台と台座がプリント基板３との組み合わせに応用されるが、該台座２は、プリント基板３と電気的に接続し、固定されるように設けられ、それに、複数列の端子台１は、素早く組み合わせが可能、かつ差込み・取り外しが簡単に行なわれるように設けられることから、装着や差込み・取り外し差作業が便利かつ簡単に行なわれるようになり、該台座２の底部からはみ出された出力ピンがプリント基板３に溶接、固定され、端子台１がプリント基板に電気が伝わるように設けられ、該プリント基板３には、各列の端子台と電気的に接続するように、１組以上のＬＥＤ灯３０が設けられ、プラグ（図示せず）を端子台１の差込口１０に差し込んで、電気が伝わると、該列の端子台に対応する該ＬＥＤ灯３０が点灯し、該列の端子台が通電状態になっているを示す。  
【００２２】
上述した好適な実施例に掲示された説明と図面は、本考案の技術内容や技術手段を説明するのに用いられ、それを以って、その範囲を制限してはならないとし、本考案の構造に対する細部の修正、変更またはそれと同等な効果を有するものを使用し、またはそれに換えて生じられる機能や作用が、本明細書や図面でカバーするにコンセプトを踏まえたものであれば、どれも本考案の範囲に含まれるものとすることを説明しておく。
【符号の説明】
【００２３】
１      端子台
１０    差込口
１１    側端部
１１０  凹穴
１１１  凹溝
１２    側蓋部
１２０  突起
１２１  表示エリア
１３    拡張部
１３０  突起
１３１  凹穴
１３２  凹溝
１４    導電性出力ピン
１４０  フック部
１５    押しブロック
２      台座
２０    底筐体
２００  収容キャビティ
２０１  スロット
２０２  入力ホール
２０３  突条部
２０４  凹溝
２１    蓋板
２１０  ラッチ部
２１１  出力ホール
２２    導電性プラグ
２２０  カーブ状クリップ
２２１  出力ピン
３      プリント基板
３０    ＬＥＤ灯
【図１】
0003217521.tif 000003
【図２】
0003217521.tif 000004
【図３Ａ】
0003217521.tif 000005
【図３Ｂ】
0003217521.tif 000006
【図４】
0003217521.tif 000007
【図５】
0003217521.tif 000008
【図６】
0003217521.tif 000009
【図７】
0003217521.tif 000010
【図８】
0003217521.tif 000011
【図９】
0003217521.tif 000012
【手続補正書】
【提出日】平成30年6月15日(2018.6.15)
【手続補正１】
【補正対象書類名】実用新案登録請求の範囲
【補正対象項目名】請求項１
【補正方法】変更
【補正の内容】
【請求項１】
複数列の端子台と複数列の台座を備えてなり、各列の端子台は、二つの筐体による凹凸構造を素早く組み合わせてなり、お互いを組み合わせてなる各列の端子台には、プラグを差し込む差込口が１個以上設置され、その中に１組の導電性出力ピンが埋設され、各列の端子台の底部が台座に結合され、該台座内には、少なくとも、１個以上の導電性プラグが埋設され、該導電性出力ピンと該導電性プラグとは電気的に接続し、該台座の両側の表面には、それぞれ、お互いを嵌め合わせるための突条部と凹溝があり、それによって、素早く組み合わせて複数列の台座に設けられ、端子台と台座との装着・取り外し作業がうまく行われるように設けられることを特徴とする端子台と台座の組合せ構造。